(57)【要約】      （修正有）【課題】極めて簡単かつ容易な構造で、出血を最小限に抑え、切開部を視認しながら確実に切開することができる安全性に優れた手術用押圧具を提供する。【解決手段】リング状押圧部１１と前記リング状押圧部の後部から後方へ傾斜する立ち上がり部２０を介して形成されたハンドル部３０とからなる。前記リング状押圧部の当接部側は薄肉に形成され、前記リング状押圧部が前後方向が長軸となる楕円形状であり、前記リング状押圧部の楕円形状の長軸方向の長さが４５〜６５ｍｍであり、短軸方向の長さが２０〜４０ｍｍである。また、前記ハンドル部にグリップ部を有し、特には、前記押圧具は帝王切開手術のためのものである。【選択図】図１
0003118148.tif 000002
【実用新案登録請求の範囲】
【請求項１】
リング状押圧部と前記リング状押圧部の後部から後方へ傾斜する立ち上がり部を介して形成されたハンドル部とからなることを特徴とする手術用押圧具。
【請求項２】
前記リング状押圧部の当接部側が薄肉に形成されている請求項１に記載の手術用押圧具。
【請求項３】
前記リング状押圧部が前後方向が長軸となる楕円形状である請求項１又は２に記載の手術用押圧具。
【請求項４】
前記リング状押圧部の楕円形状の長軸方向の長さが４５〜６５ｍｍであり、短軸方向の長さが２０〜４０ｍｍである請求項３に記載の手術用押圧具。
【請求項５】
前記ハンドル部にグリップ部を有する請求項１ないし４のいずれか１項に記載の手術用押圧具。
【請求項６】
前記押圧具が帝王切開手術のためのものである請求項１ないし５のいずれか１項に記載の手術用押圧具。
【考案の詳細な説明】
【技術分野】
【０００１】
本考案は、例えば帝王切開手術などの切開手術において用いられる手術用押圧具に関する。
【背景技術】
【０００２】
切開手術の一つとして、例えば帝王切開手術があるが、この帝王切開手術は、産婦を開腹し、子宮壁を切開して、胎児を取り出す手術方法である。胎児を出産する場合には、経膣分娩することにより出産するのが最も一般的な方法であるが、産道からの娩出が不可能な場合や、母体あるいは胎児の生命に危険がある場合などに帝王切開手術により胎児を娩出することが行われている。
【０００３】
上記帝王切開手術においては、子宮筋に約３０ｍｍの切開を加えた後、その切開部を左右に広げて胎児を娩出する。この子宮筋の切開は、出血を伴うため、筋層のどこまで切れているのか視認が困難なことが多く、深く切りすぎてしまうと胎児を傷つけてしまうので、極めて慎重に少しずつ行う必要がある。しかしながら、実際には、胎児の状態や麻酔の影響を考慮して、早急な胎児の娩出が求められており、胎児を傷つけることなく、素早く子宮筋の切開を行うことは非常に困難な作業であった。
【０００４】
そのため、従来では、図５に示すように、切開時の出血を最小限に抑えるために手術用押圧具７０が用いられてきた。子宮筋を切開する場合において、支持部７５を保持して、リング状押圧部７１の当接部７７を切開部側へ押圧して切開を行う。しかしながら、親指と人差し指で支持部７５を保持して手術用押圧具７０を切開部側に押圧しながら、他方の手で切開を行うのは困難であり、支持部から指が滑って離れたり、子宮筋から手術用押圧具がずれたりすることがあった。また、切開する医師以外の者が、手術用押圧具７０を切開部側に押圧する場合は、前記手術用押圧具を押圧している者の手が邪魔になり、切開しづらいという難点もあった。
【考案の開示】
【考案が解決しようとする課題】
【０００５】
従って、本考案は、前記の問題点を鑑みてなされたものであり、極めて簡単かつ容易な構造で、切開部からの出血を最小限に抑え、視認しながら確実に切開することができる安全性に優れた手術用押圧具を提供するものである。
【課題を解決するための手段】
【０００６】
すなわち、請求項１の考案は、リング状押圧部と前記リング状押圧部の後部から後方へ傾斜する立ち上がり部を介して形成されたハンドル部とからなることを特徴とする手術用押圧具に係る。
【０００７】
請求項２の考案は、前記リング状押圧部の当接部側が薄肉に形成されている請求項１に記載の手術用押圧具に係る。
【０００８】
請求項３の考案は、前記リング状押圧部が前後方向が長軸となる楕円形状である請求項１又は２に記載の手術用押圧具に係る。
【０００９】
請求項４の考案は、前記リング状押圧部の楕円形状の長軸方向の長さが４５〜６５ｍｍであり、短軸方向の長さが２０〜４０ｍｍである請求項３に記載の手術用押圧具に係る。
【００１０】
請求項５の考案は、前記ハンドル部にグリップ部を有する請求項１ないし４のいずれか１項に記載の手術用押圧具に係る。
【００１１】
請求項６の考案は、前記押圧具が帝王切開手術のためのものである請求項１ないし５のいずれか１項に記載の手術用押圧具に係る。
【考案の効果】
【００１２】
請求項１の考案に係る手術用押圧具は、リング状押圧部と前記リング状押圧部の後部から後方へ傾斜する立ち上がり部を介して形成されたハンドル部とからなるので、前記押圧部を把持しやすく、切開部側を確実に押圧することができ、切開時の出血を減少させることができる。
【００１３】
請求項２の考案にあっては、請求項１に記載の手術用押圧具において、前記リング状押圧部の当接部側が薄肉に形成されているので、切開時の出血を極力抑制することができる。
【００１４】
請求項３の考案にあっては、請求項１又は２に記載の手術用押圧具において、前記リング状押圧部が前後方向が長軸となる楕円形状であるので、切開を行いやすい形状である。
【００１５】
請求項４の考案にあっては、請求項３に記載の手術用押圧具において、前記リング状押圧部の楕円形状の長軸方向の長さが４５〜６５ｍｍであり、短軸方向の長さが２０〜４０ｍｍであるので、切開を行いやすい大きさである。
【００１６】
請求項５の考案にあっては、請求項１ないし４のいずれか１項に記載の手術用押圧具において、前記ハンドル部にグリップ部を有するので、片手で手術用押圧具を把持しながら、他方の手で比較的容易に切開することができる。
【００１７】
請求項６の考案にあっては、請求項１ないし５のいずれか１項に記載の手術用押圧具において、前記押圧具が帝王切開手術のためのものであるので、子宮筋切開時の出血を極力抑制することができ、切開部を視認しながら切開することが可能であり、安全性に優れている。
【考案を実施するための最良の形態】
【００１８】
以下添付の図面に従って、この考案を詳細に説明する。図１は本考案の一実施例を示す全体斜視図、図２はリング状押圧部を示す平面図及び底面図、図３は手術用押圧具の使用状態を示す断面図、図４は本考案の別例を示す全体斜視図である。
【００１９】
請求項１の考案として規定し、図１に示すように、手術用押圧具１０は、リング状押圧部１１と前記リング状押圧部の後部１２から後方へ傾斜する立ち上がり部２０を介して形成されたハンドル部３０とからなることを特徴とする。本実施例では、請求項６の考案として規定するように、前記押圧具１０が帝王切開手術のためのものである場合を想定して説明する。
【００２０】
手術用押圧具１０は、帝王切開手術に用いられる場合において、例えば、約１８０℃などの所定温度で所定時間、オートクレーブ内に保持し、殺菌処理が施されてから用いられる。そのため、前記手術用押圧具の材質は特に限定されないが、およそ１８０℃程度の温度に耐えられる材質である必要がある。耐久性、取扱易さから、例えばステンレスなどの金属を用いることができる。
【００２１】
リング状押圧部１１は切開部側を直接押圧するものであり、請求項２の考案として規定し、図２に示すように、リング状押圧部１１の当接部側１５は薄肉に形成されている。実施例では、子宮筋を押圧しやすいように、リング状押圧部１１の上側の幅Ｗ１は約２〜３ｍｍ（図２（ａ）を参照）、当接部側１５の幅Ｗ２は約０．１〜０．２ｍｍとされ（図２（ｂ）を参照）、当接部側１５に向けて徐々に薄くなるように形成されている。
【００２２】
ここで、子宮筋を切開する場合には、出血を伴うために、筋層のどこまで切れているか視認が困難なことが多い。帝王切開手術では、通常、子宮筋に約３０ｍｍの切開を加えた後、その切開部を左右に広げて胎児を娩出するため、子宮筋の筋層がどこまで切れているか慎重に確認しながら切開を行わなければ、胎児をメスで傷つけてしまう危険性がある。
【００２３】
本実施例では、図３のように、リング状押圧部１１の当接部側１５が薄肉に形成されている手術用押圧具１０を用いることで、子宮筋にリング状押圧部１１の当接部側１５を確実に押圧させることができる。そのため、リング状押圧部１１の内側への血流を抑制し、子宮筋切開時の出血を最小限に抑えることがで可能であり、切開部を視認しながら、円刃もしくは尖刃などで切開を行うことができる。このように、手術用押圧具１０を用いると、子宮筋のみを確実に切開することが可能であり、胎児を刃で傷つけるおそれもほとんどなく、安全性に極めて優れている。
【００２４】
リング状押圧部１１の形状は、請求項３の考案として規定するように、前後方向が長軸となる楕円形状であることが好ましい。また、大きさは、請求項４の考案として規定し、図４に示すように、リング状押圧部１１の楕円形状の長軸方向Ｌ１の長さが４５〜６５ｍｍであり、短軸方向Ｌ２の長さが２０〜４０ｍｍであることが望ましい。子宮筋を最初に切開する際の切開部の大きさは約３０ｍｍ程度であるため、切開部側を押圧して、リング状押圧部１１の内側への血流を極力抑制した上で、子宮筋を切開するのに適した大きさである。
【００２５】
また、前記リング状押圧部１１の後部１２から後方へ傾斜する立ち上がり部２０が形成されている。仮に、この立ち上がり部が水平方向に対して垂直に形成されている場合、その下方に位置するリング状押圧部を切開部側に均一に押圧しにくく、また、ハンドル部を把持する手が邪魔になり、リング状押圧部の内側の子宮筋を切開することは、非常に困難である。しかしながら、立ち上がり部２０を適度に傾斜させることで、片手で手術用押圧具を把持しても、その手に邪魔されることなく、他方の手で十分に切開を行うことが可能である。なお、実施例では、立ち上がり部２０の高さは、約８０ｍｍ程度であり、立ち上がり部２０の水平方向に対する傾斜角度は約７０度である。
【００２６】
手術用押圧具１０には、前記立ち上がり部２０を介してハンドル部３０が形成されている。そして、図４に示し、請求項５の考案として規定するように、前記ハンドル部３０にはグリップ部３１が備えられていることが好ましい。ハンドル部３０及びグリップ部３１の形状は、どのようなものでもよく、片手で把持しやすい大きさ、形状であることが望ましい。また、グリップ部３１は、手術用押圧具１０本体と一体的に成形されてもよいし、前記本体とは別に樹脂等で形成し、ハンドル部３０に装着してもよい。なお、実施例ではハンドル部の長さは約１６０ｍｍである。
【００２７】
ハンドル部３０によって、手術用押圧具１０を比較的小さな力で容易に片手で把持することができるので、疲れにくく、リング状押圧部１１を切開部側へしっかりと押圧することができる。また、前記手術用押圧具１０はハンドル部３０があることによって、一人の医師が片手で手術用押圧具１０を切開部側に押圧しながら、他方の手でそのリング状押圧部１１の内側を切開することが可能であり、切開がさらに行いやすくなり、安全性も向上する。なお、本実施例では、手術用押圧具を帝王切開手術に用いる場合について説明をしたが、帝王切開手術に限られず、他の切開手術に用いることも当然に可能である。
【図面の簡単な説明】
【００２８】
【図１】本考案の一実施例を示す全体斜視図である。
【図２】リング状押圧部を示す平面図及び底面図である。
【図３】手術用押圧具の使用状態を示す断面図である。
【図４】本考案の別例を示す全体斜視図である。
【図５】従来の手術用押圧具を示す全体斜視図である。
【符号の説明】
【００２９】
１０  手術用押圧具
１１  リング状押圧部
１２  後部
１５  当接部側
２０  立ち上がり部
３０  ハンドル部
３１  グリップ部
【図１】
0003118148.tif 000003
【図２】
0003118148.tif 000004
【図３】
0003118148.tif 000005
【図４】
0003118148.tif 000006
【図５】
0003118148.tif 000007